(57)【要約】【課題】ＴＶ放送受信機能つき携帯電話機が手元にない場合においても、遠隔操作によりＴＶ放送を録画することができる携帯電話機およびその方法およびそのシステムを提供すること。【解決】携帯電話機１はＴＶ放送受信機能と録画機能を備えている。携帯電話機１を置き忘れる等して手元においてない使用者は、電話機５を用いて、ネットワーク４、無線通信用基地局３を介して携帯電話機１に発呼する。携帯電話機１は自動応答留守録処理を備えており、自動応答する。自動応答時に、電話機５の特定のダイヤルキーを押すことにより、録画設定モードに移行する。録画設定モードで、電話機５のダイヤルキーの押下操作によりＴＶ放送の録画設定を行う。【選択図】図２
2005175670.tif 000002
【特許請求の範囲】
【請求項１】
無線通信手段と、
ＴＶ放送を受信する手段と、
録画設定信号に基づいてＴＶ放送の録画設定を行う手段と、
前記録画設定に基づいてＴＶ放送を録画する手段を備えたことを特徴とする携帯電話機。
【請求項２】
前記録画設定信号は、前記無線通信手段を介して受信されることを特徴とする請求項１に記載の携帯電話機。
【請求項３】
前記録画設定を保存する手段を備えたことを特徴とする請求項１又は請求項２に記載の携帯電話機。
【請求項４】
電池残量情報もしくは録画メモリ情報を、
前記無線通信手段を介して送信することを特徴とすることを特徴とする請求項１乃至３のいずれかに記載の携帯電話機。
【請求項５】
ＴＶ電波の受信状態が予め定められた基準以下の場合に、ＴＶ電波の受信状態に基づいた情報を、前記無線通信手段を介し送信することを特徴とする請求項１乃至４のいずれかに記載の携帯電話機。
【請求項６】
ＴＶ電波の受信状態が予め定められた基準以下の場合に、前記ＴＶ放送を受信する手段に替えて、または前記ＴＶ放送を受信する手段と共に前記無線通信手段を介してＴＶ放送を受信する手段を備えたことを特徴とする請求項１乃至５のいずれかに記載の携帯電話機。
【請求項７】
前記無線通信手段の無線通信用アンテナと前記ＴＶ放送を受信する手段のＴＶ電波用アンテナを別々に備えたことを特徴とする請求項１乃至６のいずれかに記載の携帯電話機。
【請求項８】
前記無線通信手段の無線通信用アンテナと前記ＴＶ放送を受信する手段のＴＶ電波用アンテナが共用されることを特徴とする請求項１乃至６のいずれかに記載の携帯電話機。
【請求項９】
前記無線通信手段と前記ＴＶ放送を受信する手段のアンテナが複数存在し、
ＴＶ放送を受信する際にダイバーシティ受信することができることを特徴とする請求項１乃至８のいずれかに記載の携帯電話機。
【請求項１０】
ＴＶ放送録画中に着信を受けた場合に、ＴＶ放送の録画を中止または中断することができる手段を備えたことを特徴とする請求項１乃至９のいずれかに記載の携帯電話機。
【請求項１１】
ＴＶ放送録画中に着信を受けた場合に、留守番電話機能を起動することができる手段を備えたことを特徴とする請求項１乃至１０のいずれかに記載の携帯電話機。
【請求項１２】
前記ＴＶ放送を録画する手段は、ＴＶ放送信号をコード変換して録画することを特徴とする請求項１乃至１１のいずれかに記載の携帯電話機。
【請求項１３】
前記録画設定信号は、録画開始時間と終了時間とを含むことを特徴とする請求項１乃至１２のいずれかに記載の携帯電話機。
【請求項１４】
前記録画設定信号は、ＴＶ放送録画命令を含むことを特徴とする請求項１乃至１２のいずれかに記載の携帯電話機。
【請求項１５】
前記無線通信手段または前記ＴＶ放送を受信する手段を介し受信した番組予定情報に基づいて、前記録画設定信号を解析しＴＶ放送録画設定をすることを特徴とする請求項１乃至１４のいずれかに記載の携帯電話機。
【請求項１６】
前記録画設定信号は、番組関連情報を含むことを特徴とする請求項１乃至１５のいずれかに記載の携帯電話機。
【請求項１７】
前記録画設定信号は、ＴＶ放送の録画メモリの消去すべき領域を指定する情報を含むことを特徴とする請求項１乃至１６のいずれかに記載の携帯電話機。
【請求項１８】
前記録画設定信号は、プッシュ音信号で構成されることを特徴とする請求項１乃至１７のいずれかに記載の携帯電話機。
【請求項１９】
前記録画設定信号は、電子メール形式で構成されることを特徴とする請求項１乃至１７のいずれかに記載の携帯電話機。
【請求項２０】
前記録画設定信号は、パスワードを含むことを特徴とする請求項１乃至１７のいずれかに記載の携帯電話機。
【請求項２１】
前記録画設定信号を受けた後、前記ＴＶ電波の受信状態に基づいた情報若しくは前記電池残量情報若しくは前記録画メモリ情報を、前記無線通信手段を介し送信することを特徴とする請求項２に記載の携帯電話機。
【請求項２２】
前記無線通信手段を介して前記録画設定信号を受信し、前記録画設定を保存し、前記保存された録画設定に従ってＴＶ放送を録画することを特徴とする携帯電話機のＴＶ放送録画設定方法。
【請求項２３】
前記電池残量情報、又は前記録画メモリ情報、又は前記ＴＶ電波の受信状態に基づいた情報を、前記無線通信手段を介して送信することを特徴とする請求項２２に記載の携帯電話機のＴＶ放送録画設定方法。
【請求項２４】
ネットワークを介したサーバと、端末と、無線基地局と、ＴＶ放送局と、携帯電話機から構成される携帯電話機の通信システムであって、
前記端末は、
ネットワークを介してサーバに、携帯電話機を指定する情報と、携帯電話機を使用するための情報と、ＴＶ番組情報を提供し、
前記サーバは、
前記携帯電話機を指定する情報と、前記携帯電話機を使用するための情報と、前記ＴＶ番組情報から、録画設定信号を構成し、ネットワークと無線基地局を介して携帯電話機に、前記録画設定信号を送信し、
前記携帯電話機は、
受信した前記録画設定信号に基づいて、ＴＶ放送の録画設定を行うことを特徴とする携帯電話機のＴＶ放送録画設定システム。
【発明の詳細な説明】
【技術分野】
【０００１】
本発明は、無線端末の遠隔操作に関する。特に、ＴＶ放送受信機能と録画機能とを有する携帯電話機の通信回線を通じた遠隔地からの操作技術に関する。
【背景技術】
【０００２】
携帯電話機は元々通話を目的とするものであったが、今では通話以外にも様々なアプリケーションが提案され、実現されている。電子メール機能、インターネット接続機能、Ｊａｖａ（登録商標）機能、音楽再生機能、ＧＰＳ機能、電子マネー機能、デジタルカメラ機能、デジタルビデオ機能などが取り込まれた携帯電話機が製造販売されるに至っている。従来別々の機器で実現されていたこれらの機能を取り込み、携帯電話機は、電話機というよりも既にマルチメディア端末の様相を呈している。さらにＴＶ放送を受信する機能を搭載する試みも始まっている。
【０００３】
携帯電話機にＴＶ放送受信機能を搭載することを希望する意見は従来からあった。しかしデジタルカメラ機能や電子メール機能と異なり、ＴＶ放送受信機能はＴＶ放送を受信している間、例えば３０分とか１時間とか、場合によっては数時間といった比較的長い時間回路を駆動し続けなければならない。一方、携帯電話機は電池駆動が一般的であるから、消費できる電力量は有限である。したがって、携帯電話機に付加機能を搭載するためには回路の省消費電力化を実現することが重要である。また、携帯電話機は小型でかつ軽量薄型化の方向に進化しており、ＴＶ放送受信機能を搭載するには部品の小型化を進めることも必要不可欠であった。
【０００４】
このような理由により、長時間連続駆動することを想定しなくてもよいカメラ機能等と比較して、ＴＶ放送受信機能を携帯電話機に搭載することは遅れていた。
【０００５】
しかし、部品の小型化、省消費電力化が進んだ近年、上記問題が解決されつつあり、ＴＶ放送受信機能を携帯電話機に盛り込むことが現実化しつつある。
【０００６】
携帯電話機にＴＶ放送受信機能を搭載する場合、ＴＶ放送録画機能もあわせて搭載する方が使用者にとって便利である。携帯電話機が手元にある場合には、携帯電話機のボタン操作でＴＶ放送を楽しみ、必要に応じて録画することもできる。
【０００７】
また希望のＴＶ番組の放送時間に会議室やコンサートホールにいる等の理由で、携帯電話機を使用することができない場合には、予め録画予約を設定することもできる。
【０００８】
しかし、携帯電話機は持ち運びが可能であるため、使用者が外出先にもってくることを忘れてしまい、手元に端末がない場合も想定される。このような場合では、使用者は直接携帯電話機のボタン操作をすることができないので、ＴＶ放送の録画設定を行うことができない。
【０００９】
一方、携帯電話機は通信機能を有しているのであるから、手元に端末がない場合であっても、通信機能を介して外部から遠隔操作することができれば便利である。
【００１０】
現在、携帯電話機にかかわらず、ＴＶ放送受信機能やＴＶ放送録画機能を搭載した機器を遠隔操作する技術又はその関連技術が様々提案されている。例えば、以下のような技術をあげることができる。
【００１１】
第一にネットワークに接続されたサーバに対し端末から指令することにより、自宅のビデオレコーダの録画予約設定をする技術である（特許文献１）。外出などで自宅のビデオレコーダの操作ができない場合であっても、インターネットに接続されたサーバを経由して自宅のビデオレコーダを操作することができる技術である。
【００１２】
第二にネットワークに接続された自宅のターミナルアダプタに対しネットワーク経由で命令を行うことにより、ターミナルアダプタに接続した赤外線端末を通じて自宅のビデオレコーダに対し録画設定をする技術である（特許文献２）。一般にビデオレコーダは赤外線端末により操作されるものが多く、既存の機器の赤外線端末をネットワークにつなぐだけで遠隔操作をすることができる技術として有用である。
【００１３】
第三にネットワークに接続されたＴＶ放送受信機能および録画機能付きコンピュータに対して、電話回線を介して予約録画をする技術である（特許文献３）。システムがシャットダウンしている状態でも、コンピュータ内部のネットワークインターフェイス部によって遠隔操作が可能な技術として有用である。
【００１４】
第四にＴＶ放送受信機能を有した携帯通信装置に対して、電源をＯＮまたはＯＦＦする命令を、指定時間になるとネットワークを介して行う技術である（特許文献４）。これは、電源をＯＮすることを忘れて、見たい番組を見逃すことがあるという課題を解決するための技術である。
【００１５】
【特許文献１】特開２００３−１８８９５２
【特許文献２】特開２００３−２０４４９８
【特許文献３】特開２００３−１６３７４８
【特許文献４】特開２００３−３７７９９
【発明の開示】
【発明が解決しようとする課題】
【００１６】
以上のとおり、第一乃至第三の技術はＴＶ放送受信機能およびＴＶ放送録画機能を持つ固定機器に関する遠隔操作技術であり、携帯電話機の様な移動端末に関するものではない。
【００１７】
一般に移動端末である携帯電話機は、電池によって駆動され、電波状態が携帯電話機の置かれた環境によって変化するという特徴を有する。これに対して固定機器は一般に安定な電源で駆動され、妨害電波がある又は雷雲が近くにあるなどの特殊な状況以外では電波状態は安定している。つまり固定機器と異なり携帯電話機の遠隔操作技術については、これら電波状態や、消費できる電力量が有限である電池の残量を考慮する必要があるが、第一乃至第二の技術は、固定機器を対象としたものであるから、電波状態や電力供給については考慮されていない。
【００１８】
また、第一乃至第三の技術における固定機器は本来ネットワーク接続機能を持たないものも含まれており、第一乃至第三の技術を実現するにはこれら機器に新たにネットワーク接続機能を追加しなければならない。
【００１９】
第四の技術は、ＴＶ放送受信機能を有する携帯通信装置の電源タイマに関する技術であり、番組放送の見逃しを防止する技術である。ネットワークを介して外部から電源をＯＮ，ＯＦＦすることができる。この技術により予め見る予定となっていたテレビ番組を見逃すことが回避されるという効果が発揮されるが、携帯通信装置が手元にあることを想定しており、携帯電話機が手元にない場合に外部から遠隔操作により録画する技術ではない。
【００２０】
本発明の課題は、ＴＶ放送受信機能つき携帯電話機が手元にない場合においても、遠隔操作によりＴＶ放送を録画することができる携帯電話機およびその方法およびそのシステムを提供することにある。
【００２１】
携帯電話機は移動可能であるので、無線通信用電波やＴＶ電波の受信状態は端末が置かれる環境によって変化する。また携帯電話機は一般に電池で駆動されるので使用できる電力量は有限である。これら移動端末特有の性質に基づく利用の制限がかかっている状況下においても、確実にＴＶ放送録画設定機能の遠隔操作を行う技術を提供することも本発明の課題である。
【課題を解決するための手段】
【００２２】
上記課題を解決するために、請求項１に記載の発明に係る携帯電話機は、
無線通信手段と、
ＴＶ放送を受信する手段と、
録画設定信号に基づいてＴＶ放送の録画設定を行う手段と、
前記録画設定に基づいてＴＶ放送を録画する手段を備えたことを特徴とする。
【００２３】
また、好ましい態様として、前記携帯電話機は、例えば請求項２の記載のように、前記録画設定信号は、前記無線通信手段を介して受信されてもよい。
【００２４】
また、好ましい態様として、前記携帯電話機は、例えば請求項３の記載のように、前記録画設定を保存する手段を備えてもよい。
【００２５】
また、好ましい態様として、前記携帯電話機は、例えば請求項４の記載のように、電池残量情報もしくは録画メモリ情報を、前記無線通信手段を介して送信してもよい。
【００２６】
また、好ましい態様として、前記携帯電話機は、例えば請求項５の記載のように、ＴＶ電波の受信状態が予め定められた基準以下の場合に、ＴＶ電波の受信状態に基づいた情報を、前記無線通信手段を介し送信してもよい。
【００２７】
また、好ましい態様として、前記携帯電話機は、例えば請求項６の記載のように、ＴＶ電波の受信状態が予め定められた基準以下の場合に、前記ＴＶ放送を受信する手段に替えて、または前記ＴＶ放送を受信する手段と共に前記無線通信手段を介してＴＶ放送を受信する手段を備えてもよい。
【００２８】
また、好ましい態様として、前記携帯電話機は、例えば請求項７の記載のように、前記無線通信手段の無線通信用アンテナと前記ＴＶ放送を受信する手段のＴＶ電波用アンテナを別々に備えてもよい。
【００２９】
また、好ましい態様として、前記携帯電話機は、例えば請求項８の記載のように、前記無線通信手段の無線通信用アンテナと前記ＴＶ放送を受信する手段のＴＶ電波用アンテナが共用されてもよい。
【００３０】
また、好ましい態様として、前記携帯電話機は、例えば請求項９の記載のように、前記無線通信手段と前記ＴＶ放送を受信する手段のアンテナが複数存在し、ＴＶ放送を受信する際にダイバーシティ受信することができてもよい。
【００３１】
また、好ましい態様として、前記携帯電話機は、例えば請求項１０の記載のように、ＴＶ放送録画中に着信を受けた場合に、ＴＶ放送の録画を中止または中断することができる手段を備えてもよい。
【００３２】
また、好ましい態様として、前記携帯電話機は、例えば請求項１１の記載のように、ＴＶ放送録画中に着信を受けた場合に、留守番電話機能を起動することができる手段を備えてもよい。
【００３３】
また、好ましい態様として、前記携帯電話機は、例えば請求項１２の記載のように、前記ＴＶ放送を録画する手段は、ＴＶ放送信号をコード変換して録画してもよい。
【００３４】
また、好ましい態様として、前記携帯電話機は、例えば請求項１３の記載のように、前記録画設定信号は、録画開始時間と終了時間とを含んでもよい。
【００３５】
また、好ましい態様として、前記携帯電話機は、例えば請求項１４の記載のように、前記録画設定信号は、ＴＶ放送録画命令を含んでもよい。
【００３６】
また、好ましい態様として、前記携帯電話機は、例えば請求項１５の記載のように、前記無線通信手段または前記ＴＶ放送を受信する手段を介し受信した番組予定情報に基づいて、前記録画設定信号を解析しＴＶ放送録画設定をしてもよい。
【００３７】
また、好ましい態様として、前記携帯電話機は、例えば請求項１６の記載のように、前記録画設定信号は、番組関連情報を含んでもよい。
【００３８】
また、好ましい態様として、前記携帯電話機は、例えば請求項１７の記載のように、前記録画設定信号は、ＴＶ放送の録画メモリの消去すべき領域を指定する情報を含んでもよい。
【００３９】
また、好ましい態様として、前記携帯電話機は、例えば請求項１８の記載のように、前記録画設定信号は、プッシュ音信号で構成されてもよい。
【００４０】
また、好ましい態様として、前記携帯電話機は、例えば請求項１９の記載のように、前記録画設定信号は、電子メール形式で構成されてもよい。
【００４１】
また、好ましい態様として、前記携帯電話機は、例えば請求項２０の記載のように、前記録画設定信号は、パスワードを含んでもよい。
【００４２】
また、好ましい態様として、前記携帯電話機は、例えば請求項２１の記載のように、前記録画設定信号を受けた後、前記ＴＶ電波の受信状態に基づいた情報若しくは前記電池残量情報若しくは前記録画メモリ情報を、前記無線通信手段を介し送信してもよい。
【００４３】
上記課題を解決するために、請求項２２に記載の発明に係る携帯電話機のＴＶ放送録画設定方法は、前記無線通信手段を介して前記録画設定信号を受信し、前記録画設定を保存し、前記保存された録画設定に従ってＴＶ放送を録画することを特徴とする。
【００４４】
また、好ましい態様として、前記携帯電話機のＴＶ放送録画設定方法は、例えば請求項２３の記載のように、前記電池残量情報、又は前記録画メモリ情報、又は前記ＴＶ電波の受信状態に基づいた情報を、前記無線通信手段を介して送信してもよい。
【００４５】
上記課題を解決するために、請求項２２に記載の発明に係る携帯電話機のＴＶ放送録画設定システムは、
ネットワークを介したサーバと、端末と、無線基地局と、ＴＶ放送局と、携帯電話機から構成される携帯電話機の通信システムであって、
前記端末は、
ネットワークを介してサーバに、携帯電話機を指定する情報と、携帯電話機を使用するための情報と、ＴＶ番組情報を提供し、
前記サーバは、
前記携帯電話機を指定する情報と、前記携帯電話機を使用するための情報と、前記ＴＶ番組情報から、録画設定信号を構成し、ネットワークと無線基地局を介して携帯電話機に、前記録画設定信号を送信し、
前記携帯電話機は、
受信した前記録画設定信号に基づいて、ＴＶ放送の録画設定を行うことを特徴とする。
【発明の効果】
【００４６】
本発明により、ＴＶ放送受信機能つき携帯電話機が手元にない場合においても、使用者は無線通信回線を介した遠隔操作によりＴＶ放送の録画を設定することができる。
【００４７】
また、本発明では、遠隔操作する使用者にＴＶ電波の受信状態を通知することにより、ＴＶ放送の録画設定通りに録画できなかったという事態を回避することができる。
【００４８】
さらに、本発明では、ＴＶ電波の状態が悪い場合に、遠隔操作する使用者にストリーミング放送の情報を通知することにより、使用者はＴＶ電波の状態が悪い場合でも所望のＴＶ番組を録画する可能性を知ることができる。
【００４９】
本発明では、携帯電話機の電池残量や電池残量に基づく最大動作時間を遠隔操作する使用者に通知することにより、ＴＶ放送の録画設定の録画設定どおりの時間録画できなかったという事態を回避することができる。
【００５０】
また本発明では、携帯電話機のメモリ容量が不足している場合は、遠隔操作する使用者に警告を発することにより、ＴＶ放送の録画設定どおりの品質で録画できなかったという事態を回避することができる。
【００５１】
本発明では、汎用的な電話機やＰＣ（パーソナル・コンピュータ）などを用いることにより、新たな遠隔操作用の機器を用意しなくても、使用者は遠隔操作によりＴＶ放送の録画を設定することができる。
【００５２】
また、本発明により、ＷＥＢを利用した遠隔操作によるＴＶ放送の録画設定では、ＴＶ番組表を見ながら指定することができるので、番組名や放送時間帯をしっかりと記憶してない状態でもＴＶ放送の録画設定をすることができる。
【００５３】
さらに、本発明では即時にＴＶ放送を録画する命令と、時間を指定してＴＶ放送を録画する命令を備えたことにより、遠隔地にいる使用者の細かい要求に対応することができる。
【発明を実施するための最良の形態】
【００５４】
本発明を実施するための最良の形態について、図面を用いて説明する。しかしながら、かかる実施形態は本発明の技術的範囲を限定するものではない
【実施例１】
【００５５】
図１は本発明の第一の実施例に係るＴＶ放送受信機能つき携帯電話機１の遠隔操作に係るシステムの全体図である。
【００５６】
携帯電話機１は、無線を介しＴＶ放送局２と無線通信用基地局３とに接続しており、当該無線通信基地局３はネットワーク４を介して電話機５と接続されている。このシステムにおいて電話機５はネットワーク４を介して携帯電話機１に発呼することができる。
【００５７】
携帯電話機１は本発明に係るＴＶ放送受信機能つき携帯電話機であり、外部より受信する録画設定信号に基づいてＴＶ放送の録画設定を行うことができる。詳細は後述する。
【００５８】
ＴＶ放送局２はデジタルまたはアナログのＴＶ放送電波を送信する無線基地局である。無線通信用基地局３は、携帯電話機１と音声またはデータの通信を行うための無線信号を送受信する無線基地局である。
【００５９】
ネットワーク４は電話のための公衆回線網であり、ＶoＩＰ技術によって電話網を実現している場合（ＩＰ電話網）はＩＰネットワークである。また音声以外のデータ通信も行うことができる。
【００６０】
図２は本発明に係るＴＶ放送受信機能つき携帯電話機１の装置としての回路構成の要部を表したものである。
【００６１】
本実施例の携帯電話機１は、ＣＰＵ（中央処理装置）１０２を搭載しており、ＣＰＵ１０２はバス１０３を介して装置内の各部と接続されている。
【００６２】
ＲＯＭ（リード・オンリ・メモリ）１０４は、ＣＰＵ１０２が実行するための各種の制御用プログラムや、ＴＶ放送の録画した映像や、音声着呼時の留守録応答音声データ等を記憶するメモリである。
【００６３】
ＲＡＭ（ランダム・アクセス・メモリ）１０５は、ＣＰＵ１０２がプログラムを実行する上で一時的に必要とされるデータを格納する領域である。例えば、通常のブラウザ等のアプリケーションを駆動するときや、受信したＴＶ放送の映像及び音声データをＲＯＭ１０４に記憶するためのフォーマット変換の作業を行う場合に使用される。
【００６４】
タイマ部１０６は、着呼時の自動応答処理や、ＴＶ放送録画時のタイマ処理等を行うためのタイムカウント部である。
【００６５】
ＴＶ電波受信処理部１０７は、ＴＶ電波受信アンテナ１０８で受けたＴＶ電波の信号を変換、処理、解析し、ＴＶ放送データへとコーデックする回路である。
【００６６】
ＴＶ映像録画処理部１０９は、ＴＶ電波受信処理部１０７によりコーデックされた映像データと音声データを、ＲＡＭ１０５を使い、ＲＯＭ１０４へ保存するのに適したフォーマットへ変換するための回路である。
【００６７】
表示制御部１１０は、表示部１１１の表示を制御する制御回路である。表示部１１１は、図示しない装置本体の前面や背面などに配置されており、白黒あるいはカラーの液晶パネル若しくは有機ＥＬ（電子蛍光）等の表示装置であり、着呼応答時の応答処理画面や、ＴＶ放送映像の表示などを行う。
【００６８】
発着呼処理部１１２は、音声データやメール等の非音声データを、無線アンテナ１１３を介した無線によって送受信する回路である。
【００６９】
サウンド処理部１１４は、スピーカー＆マイク１１５の鳴動などの制御を行うための回路である。
【００７０】
次に、図２に示した携帯電話機の動作について説明する。
【００７１】
基地局から、着信信号を無線アンテナ１１３で受信した場合には、受信された着信信号は発着呼処理部１１２にて周波数変換、復調などの必要な処理が施され、バス１０３を介してＣＰＵ１０２へ供給される。ＣＰＵ１０２は、発着呼処理部１１２にて着信応答するよう、サウンド処理部１１４へマイク＆スピーカー１１５から着信音を出力するよう、表示制御部１１０へ表示部１１１で着信画像を表示するよう命令する。
【００７２】
着信動作中に携帯電話機１がオフフックされた場合は通話が可能になる。また、自動応答留守録処理が設定されている場合は、オフフックされても一定時間経過後、自動応答して、録音処理が開始される。
【００７３】
通話状態になると、携帯電話機１の通話者が発した音声は、マイク＆スピーカー１１５から入力されサウンド処理部１１４で音声信号に変換され、発着呼処理部１１２にて変調、周波数変換などの処理が行われ、無線アンテナ１１３から送信される。
【００７４】
一方、携帯電話機１の相手の音声信号は、無線アンテナ１１３によって受信され、発着呼処理部１１２にて周波数変換、復調などの処理が行われ、サウンド処理部１１４にて音声信号に変換されマイク＆スピーカー１１５から音声として出力される。
【００７５】
また、ＣＰＵ１０２は、表示部１１１が通話可能である旨の表示をするよう、表示部制御部１１０へ命令する。
【００７６】
一方、使用者が図示せぬ操作部から発信操作を行った場合には、ＣＰＵ１０２によって発信信号（入力された電話番号情報、またはＲＯＭ１０５に予め記憶された電話番号情報を含む）が発着呼処理部１１２と無線アンテナ１１３を介して無線通信用基地局３へ送信される。また、ＣＰＵ１０２は、発信中である旨の表示を表示部１１１がするよう表示制御部１１０へ命令し、発信中であることを表す「プップップ」などの音をマイク＆スピーカー１１５から発するよう、サウンド処理部１１４へ命令する。
【００７７】
発信動作中に、携帯電話機１の相手がオフフックすると通話が可能となる。通話状態での動作は、先に説明した着信時の通話動作と同様であるので、冗長を避けるために省略する。
【００７８】
使用者は携帯電話機１によってＴＶ放送を視聴することができる。しかし、低消費電力化の観点から、ＴＶ放送の受信をしてない場合、ＴＶ電波受信処理部１０７、ＴＶ映像録画処理部１０９に電力は供給されない。また、ＣＰＵ１０２を使って動くＴＶ放送受信機能に係るプログラムも動作しない。
【００７９】
よってＴＶ放送を受信する場合、使用者は図示せぬ操作部からＴＶ放送受信機能に係るプログラムの起動をＣＰＵ１０２に命令することが必要である。その後、ＴＶ電波受信処理部１０７に電力が供給される。
【００８０】
ＴＶ電波はＴＶ電波受信アンテナ１０８を経由してＴＶ電波受信処理部１０７でデコードされる。デコードされたＴＶ放送データは表示制御部１１０とサウンド処理部１１４へ送られる。映像信号は表示部１１１で表示され、音声信号はマイク＆スピーカー１１５で再生される。
【００８１】
ＴＶ放送を録画する場合には、ＴＶ放送受信機能と同様に、使用者は図示せぬ操作部からＴＶ放送録画機能に係るプログラムの起動をＣＰＵ１０２に命令する。その後、ＴＶ映像録画処理部１０９に電力が供給される。
【００８２】
ＴＶ電波受信処理部１０７から出力されるＴＶ放送データは、ＴＶ放送録画処理部１０９にて信号のフォーマット変換が行われ、変換後のデータはＲＯＭ１０４へ蓄積される。  図３はＴＶ放送の録画処理の遠隔設定操作時における、本実施例のＴＶ放送受信機能つき携帯電話機１の状態遷移の主なものを表している。
【００８３】
図３において、携帯電話機１は電源が投入されると待ち受け状態２０に遷移する。この状態では、使用者は呼を発することができ、また、第三者からの呼を受けることができる。
【００８４】
待ち受け状態２０で第三者へ発呼すると、携帯電話機１は発呼処理２５の状態に遷移する。これは発呼操作によって発着呼処理部１１２、無線アンテナ１１３を介して第三者へ発呼し、表示部１１１へ発呼表示を行う等の処理を行うプログラムが動作している状態である。
【００８５】
第三者である相手側がオフフックすると、通話処理２４の状態へ遷移する。一方、発呼処理２５の状態で使用者がオンフックする発呼処理２５は終了し、待ち受け状態２０に遷移する。
【００８６】
待ち受け状態２０で第三者からの着呼を受けると、携帯電話機１は着信処理２３の状態に遷移する。これは着信によって表示部１１１へ着信表示を行い、マイク＆スピーカー部１１５から着信音を発する等の処理を行うプログラムが動作している状態である。
【００８７】
着信処理２３の状態でオフフックされると通話処理２４の状態に遷移する。発呼者、着呼者間の音声による通常の通話処理を行う状態である。通話が終了すると待ち受け状態２０に遷移する。
【００８８】
着信処理２３の状態で、一定時間オフフックされない場合には自動応答留守録処理２１の状態に遷移する。これはいわゆる留守番電話機能であって、自動的に応答して、着信呼の音声を録音する状態である。この機能により携帯電話機１の所有者は録音された発呼者のメッセージを後で聞くことができる。ただし、予め自動応答留守録処理２１の設定をしておくことが必要である。
【００８９】
着信処理２３の状態で自動応答留守録処理２１が設定されていない場合は、オフフックの操作又は回線切断がない限り着信処理２３の状態から遷移しない。
【００９０】
自動応答留守録処理２１の状態において、発呼者が発呼者の電話機のキー操作によって特定のプッシュ音信号を発生させると、ＴＶ放送録画遠隔操作設定処理２２の状態に遷移する。ＴＶ放送録画遠隔操作設定処理２２の状態において、発呼者はＴＶ放送を録画するための設定処理を行うことができる。設定後、回線を切断されると待ち受け状態２０に遷移する。
【００９１】
以上説明した各処理は、携帯電話機１のＣＰＵ１０２やＲＯＭ１０４、ＲＡＭ１０５等を使って動作するプログラムにより一般的に実現される。
【００９２】
図４乃至図７は、本実施例において、遠隔地よりＴＶ放送の録画設定をする場合における、携帯電話機１の動作を中心に説明するためのものである。ただし図には理解の助けのために遠隔操作する使用者の動作も示してある。
【００９３】
携帯電話機１を家に置き忘れる等して手元に所持していない使用者は、遠隔でＴＶ放送の録画設定をするために、通常の電話機５を使って携帯電話機１に対して発呼操作を行う。発呼の呼出信号は、ネットワーク４と無線通信用基地局３を介して携帯電話機１に伝達される。
【００９４】
携帯電話機１の使用者である発信者側からの着信呼を受けると、携帯電話機１の発着呼処理部１１２は、バス１０３に着信通知を出力する（Ｓ００１）。
【００９５】
ＣＰＵ１０２は着信通知を受けると、着信処理２３に関するプログラムを起動する。この着信処理プログラムによって、回線接続、報知が実行されるとともに表示部１１１に着信画面が表示される（Ｓ００２及びＳ００３）。
【００９６】
またＣＰＵ１０２は、自動応答留守録処理２１による自動応答が設定されているか否かを確認（Ｓ００４）する。
【００９７】
自動応答が設定されていない場合には、待ち時間をタイマ部１０６にセットすることなくオフフックされたか否かを監視し（Ｓ００６）、オフフックされた場合は通話処理へ遷移する（Ｓ００８）。通話が終了すると待ち受け状態へ移行する。
【００９８】
一方、自動応答が設定されている場合には、予め設定されている応答までの待ち時間をタイマ部１０６にセットし、待ち時間を計測し始める（Ｓ００５）。
【００９９】
待ち時間が経過するまでの間オフフックされたか否かを監視し（Ｓ００７）、オフフックされた場合は通話処理に遷移する（Ｓ００８）。
【０１００】
オフフックされない場合には、タイマ部１０６は、計測した時間が設定された待ち時間を経過した時に、タイムアップ通知を発する（Ｓ００９、ＹＥＳ）。
【０１０１】
ＣＰＵ１０２は、タイムアップ通知を受けると、自動応答処理を行うために、自動応答留守録処理２１に関するプログラムを起動する（Ｓ０１０）。
【０１０２】
起動された自動応答留守録処理２１において、表示部１１１は着信応答表示し（Ｓ０１１、Ｓ０１２）発信者側へ、接続されている回線を通じて応答ガイダンスを出力する（図５、Ｓ１０１）。
【０１０３】
自動応答中に発信者によって録画設定のための予め定められたダイヤルキーが押下されない場合には（Ｓ１０２、ＮＯ）、通常の留守番電話と同様に使用者の音声を録音する（Ｓ１０３）。そして発呼端末のオンフック操作により回線が切断されると、終話処理（Ｓ１０８）され、待ち受け状態２０へ遷移する。
【０１０４】
一方、ステップＳ１０２において、ＴＶ放送録画遠隔操作設定処理２２を起動するために予め定められている特定のダイヤルキーが押下された場合には、ＴＶ放送録画遠隔操作設定処理２２に関するプログラムが起動される（Ｓ１０４）。
【０１０５】
起動されたＴＶ放送録画遠隔操作設定処理２２によって、表示部１１１に遠隔操作設定画面が表示される（Ｓ１０５、Ｓ１０６）と共に、接続されている回線を通じて、発信者側に対して、ＴＶ放送録画遠隔操作設定処理２２の起動が音声ガイダンスにて通知される（Ｓ１０７）。
【０１０６】
発信者は、ＴＶ放送録画遠隔操作設定処理２２のプログラムが起動されたことを確認したら、携帯電話機１へ、即時録画設定を行うか、もしくは、時間指定録画を行うかの設定用に予め定められている特定のダイヤルキーを押下する。発信者により押下されたダイヤルキーのプッシュ音は、回線を通じてＴＶ放送受信機能つき携帯電話機１へと通知される。
【０１０７】
ＴＶ放送録画遠隔操作設定処理２２では、遠隔地にいる発信者により時間指定録画の設定を行うキーが押下されたか、即時録画の設定を行うキーが押下されたか判断される（図６、Ｓ２０３）。
【０１０８】
時間指定録画を行うためのキー押下と判断した場合には、ＴＶ放送録画遠隔操作設定処理２２は、時間指定録画を行うためのモードに入り、時間指定録画モードへ遷移したことおよび引き続き設定用コマンドの送信を促す音声ガイダンスを、発信者へ通知する（Ｓ２０４）。
【０１０９】
この通知に従って、発信者は、自動録画を行うための日付、チャンネル、開始時間、終了時間などの録画時間帯情報や、ＲＯＭ１０４へ最終的に保存される際の録画品質を決める画面サイズ、フレームレートなどの情報を入力する。入力された情報は携帯電話機１にて受信される（Ｓ２０５）。これら情報は録画設定情報であり、ここで示した日付等以外にも、他人が勝手に録画設定することを防止するためのパスワード等を含ませることも可能である。時間指定録画の録画設定情報には、開始時間になったら指定チャンネルのＴＶ放送の録画を開始せよという内容のＴＶ放送録画予約命令が含まれる。録画設定情報は録画設定信号として無線を介し携帯電話機１に送信される。
【０１１０】
音声ガイダンスに従って発信者が録画設定情報を入力するとき、例えば以下に示すよう、対話的に行うことが望ましい。
【０１１１】
携帯電話機１から発信者に対し「録画希望番組の日付を入力し、最後にシャープを押してください。」と音声ガイダンスを通知する。「１０月３０日」の日付を発信者が通知したい場合は「１０３０＃」と入力する。携帯電話機１が「１０３０＃」に対応したプッシュ音を確認すると、「１０月３０日ですね？よろしければ１を押して下さい。もう一度やり直す場合は０を教えてください。」と通知する。その音声ガイダンスの通知を聞いた発信者が「１」を押すと日付が確定し、「０」を押すと日付入力をやり直す。日付が確定した場合、携帯電話機１は「録画希望番組のチャンネル番号を入力し、最後にシャープを押してください。」と通知し、日付と同様の手続きで対話的にチャンネル番号情報が携帯電話機１に通知される。以下、録画設定情報の各項目も同様の対話的手続きにより通知される。
【０１１２】
Ｓ２０３にて、即時録画設定を行うためのキーが押下されたと判断した場合には、ＴＶ放送録画遠隔操作設定処理２２は、即時録画を行うためのモードに入り、即時録画モードへ遷移したことおよび引き続き設定用コマンドの送信を促す音声ガイダンスを、発信者へ通知する（Ｓ２０６）。
【０１１３】
この通知に従って、発信者は、チャンネル、ＲＯＭ１０４へ最終的に保存される際の録画品質を決める画面サイズ、フレームレートなどの情報を入力する。入力された情報は回線網を通じてＴＶ放送受信機能つき携帯電話機１にて受信される（Ｓ２０７）。これら情報は録画設定情報であり、ここで示したチャンネル等以外にも、他人が勝手に録画設定することを防止するためのパスワード等を含ませることも可能である。即時録画の録画設定情報には、録画命令受信後遅滞なくＴＶ放送の録画を開始せよという内容のＴＶ放送録画命令を含まれる。録画設定情報は録画設定信号として無線を介し携帯電話機１に送信される。
【０１１４】
即時録画設定の場合も、時間指定録画の設定の場合と同様に、発信者と携帯電話機１が音声ガイダンスを通じて対話的に設定作業を行うことができる。
【０１１５】
ところで、発信者が即時録画を希望する場合には、録画品質などの項目の設定に時間をかけたくないことも想定される。そこで、録画に最低限必要なチャンネル番号だけで、録画機能が即時に動作する態様も考えられる。
【０１１６】
ＴＶ放送録画遠隔操作設定処理２２では、発信者から録画設定の各項目が通知されると、通知されたとおりの各設定を行い（Ｓ２０８）、発信者へ設定完了通知を音声ガイダンスとともに、終了（終話キー押下）するか再設定するかの質問ガイダンスを通知する（Ｓ２０９）。
【０１１７】
次に、この質問ガイダンスに対して、使用者がどのダイヤルキーを押下したかの判断がされる（図７、Ｓ３０１、Ｓ３０２）。
【０１１８】
発信者によって、再設定をするための特定のダイヤルキーが押下されたと判断する場合（Ｓ３０１、ＹＥＳ）、再度各モードの設定コマンドを待つ状態へ遷移し、発信者側に、録画設定状態であることを音声ガイダンスにて通知する（図６、Ｓ２０２）。
【０１１９】
一方、発信者によって、終話キーの押下による回線切断がされた判断した場合（Ｓ３０２、ＹＥＳ）、発着呼処理部１１が回線切断通知をバス１０３に通知し、ＣＰＵ１０２が回線切断処理を行う（Ｓ３０３）とともに、録画設定モードの終了処理を行う。
【０１２０】
以上で、録画の設定動作は終了する。
【０１２１】
その後、ＣＰＵ１０２は、録画設定された内容が、即時録画設定なのか、時間指定録画設定なのかを判断する（Ｓ３０４）。
【０１２２】
即時録画モードの場合は、録画処理を行うために、ＴＶ録画機能を起動し録画を開始する（Ｓ３０５）。
【０１２３】
時間指定録画モードの場合は、待ち受け画面の表示を表示制御部１１０に要求する（Ｓ３０６）。その後、設定時刻になると、ＴＶ録画機能によって録画を開始する。
【０１２４】
本実施例では、特定のダイヤルキーの押下によるプッシュ音信号により、携帯電話機１のＴＶ放送録画遠隔操作処理２２が起動したが、複数のキーの押下の組み合わせによるプッシュ音信号の組み合わせでもよい。
【０１２５】
その場合、組み合わせにより、パスワードを構成することができる。パスワードが適合しない限りＴＶ放送録画設定処理２２の状態に遷移しないようにでき、携帯電話機１の使用者以外の者が勝手にＴＶ放送の録画設定をできないようにできる。
【０１２６】
本実施例において説明した携帯電話機１の回路構成は例示であり、他の態様も可能である。各部の一部または全部をまとめてひとつの回路ブロックにすることも可能であるし、ソフトウェアで実現することも可能である。
【０１２７】
例えば、タイマ部１０６は独立した回路でなく、ＣＰＵ１０２のクロックと内部カウンタによって実現されるものであってもよいし、ＴＶ映像録画処理部１０９はソフトウェアで実現され、ＣＰＵ１０２によって実行されてもよい。ＴＶ電波受信処理部１０７とＴＶ映像録画処理部１０９が一体的に構成されていてもよい。プログラムを格納するためのメモリがＣＰＵ１０２に搭載されていてもよい。
【０１２８】
本実施例では、無線通信用の無線アンテナとＴＶ放送用のＴＶ電波受信アンテナが別々に構成されているが、無線通信用アンテナとＴＶ放送用アンテナがひとつのアンテナで実現され、機能が共用されていてもよい。また携帯電話機１が２以上のアンテナを装備して、ＴＶ電波および無線通信用電波の受信状態や受信電波の周波数帯に応じて、アンテナの共用、切換またはダイバーシティ受信を行ってもよい。切換またはダイバーシティ受信は無線アンテナとＴＶ電波受信アンテナ間で行う態様でも、同種アンテナ間で行う態様でもよい。ダイバーシティ受信によって、安定したＴＶ放送受信および無線通信を行うことができる。
【０１２９】
ところで、携帯電話機１の電池残量が少ない場合には回路の動作可能時間が短いため、ＴＶ放送の録画が途中で途切れたり、途中で画像の質が劣化する危険がある。かかる事態を回避し、発信者が録画設定したとおりにＴＶ放送の録画がされるようにするため、携帯電話機１が発信者側に、電池残量の情報や電池残量に基づく最大録画可能時間の情報を提供することは有用である。
【０１３０】
情報提供のタイミングは、ＴＶ放送録画遠隔操作設定処理２２が起動された直後や、ＴＶ放送録画設定時に発信者側から要求があった時等が効果的である。発信者は録画設定前に予め、電池残量の情報を得ることができるからである。情報提供には、音声ガイダンスで行う方法や、特定の警報音で行う方法が考えられる。
【０１３１】
電池残量は図示しない電圧計等を用いて測定することができる。電池残量に基づく最大録画可能時間は、予めＲＯＭ１０４、ＲＡＭ１０５等のメモリに蓄積しておいた録画機能駆動時の消費電力値に基づき、ＣＰＵ１０２を用いて計算することができる。
【０１３２】
同様に、携帯電話機１の置かれている場所のＴＶ電波の受信状態を、発信者側に提供する態様も有用である。例えば、携帯電話機１の置かれている場所のＴＶ電波の受信状態が悪いために、使用者によって指定された品質で指定されたチャンネルのＴＶ放送の受信が不可能な場合、または品質劣化が生じるおそれのある場合は、その旨を音声ガイダンス等で使用者に伝えるようにする。また、例えば、ＴＶ電波の受信状態の如何にかかわらず、発信者側から携帯電話機１に伝えられた特定のプッシュ音信号によって、ＴＶ電波の受信状態を提供してもよい。その場合、チャンネルごとのＴＶ電波の受信状態を提供してもよい。さらに、チャンネルと周波数の対応情報を提供してもよく、携帯電話機１が置かれた地域でのＴＶ番組情報がガイダンスされてもよい。
【０１３３】
例えば、ＴＶ電波の受信状態の測定は、以下のように行われる。通常状態においては省電力のためＴＶ電波受信処理部１０７は電力供給が遮断されているので、まずＣＰＵ１０２はＴＶ電波受信処理部１０７へ電力が供給されるよう命令する。続いてＣＰＵ１０２はＴＶ電波受信アンテナ１０８で受信するＴＶ電波の受信状態をＴＶ電波受信処理部１０７で測定させる。測定は、ＣＰＵ１０２が指定したチャンネルのＴＶ電波の受信状態に対して行われる。測定結果は、ＣＰＵ１０２で解析される。測定後又は解析後、ＣＰＵ１０２の命令によりＴＶ電波受信処理部１０７は電力供給が速やかに遮断される。尚、電力供給の遮断は省電力を目的とするので、スリープモードに落とすだけでもよい。
【０１３４】
電波の受信状態に基づく情報の提供タイミングは、携帯電話機１が録画設定信号を受信する前に提供されてもよいし、受信した後に提供されてもよい。ただ一般に、電波の受信状態はチャンネルごとに異なるので、録画設定信号を受信し、録画指定チャンネルが携帯電話機１に伝えられた後のほうが望ましい。携帯電話機１が録画指定チャンネルの電波受信状態を測定し、その測定結果に基づいた判断を音声ガイダンス等することができるからである。通常、使用者にとって、録画設定の指定チャンネル以外の電波受信状態の情報は不必要であることが多い。
【０１３５】
録画設定信号の受信後に音声ガイダンス等が提供される場合、例えば、ＣＰＵ１０２は、録画設定情報に基づいて、ＴＶ電波受信処理部１０７に対して録画設定情報で指定されたチャンネルの受信状態を測定する。測定結果に基づいた判定情報の音声ガイダンス等は、通常の通話処理と同様に、音声信号を発着呼処理部１１２、無線アンテナ１１３を介して送信すればよい。
【０１３６】
録画設定信号の受信前に音声ガイダンス等が提供される場合、例えば、使用者から携帯電話機１に特定のプッシュ音信号が伝えられると、ＣＰＵ１０２は、ＴＶ電波受信処理部１０７に対して、全テレビチャンネルの受信状態を測定する。全測定結果に基づいて判断し、その情報の音声ガイダンス等で使用者に通知する。使用者はその情報により、電波の受信状態が悪いチャンネルのＴＶ放送録画設定を前もって避けることができる。もちろん、使用者が特定チャンネルだけ指定して、電波の受信状態を測定させてもよい。
【０１３７】
ＴＶ電波の受信状態の良し悪しの判断は設定された録画品質を基準にして行う。例えば、ＴＶ電波の電力や、ＴＶ放送信号の受信誤り率や誤り訂正率等から劣化具合を数値化する。その数値と、設定された録画品質とを比較することで、判断することができる。
【０１３８】
本実施例では、ＴＶ放送はＴＶ放送局２から提供されるが、本発明はこの例に制限されない。例えば無線通信回線を介したストリーミング放送によってＴＶ放送を受信してもよい。
【０１３９】
例えば、ＴＶ放送局２からのＴＶ電波の受信状態は悪いが、無線通信用電波の受信状態が良好な場合は、ＴＶ放送局２に変えて、無線通信用基地局を介したストリーミング放送を受信することが有効である。
【０１４０】
さらに、携帯電話機１は発信者側に、録画設定で指定されたＴＶ番組がストリーミング放送されているか否か、されている場合にはその時間帯やチャンネル番号、ＵＲＬなどの情報を提供してもよい。この態様を実現するために、携帯電話機１は予め一定時間ごとにストリーミング放送の予定表をダウンロードしておき、録画設定されたＴＶ番組がストリーミング放送の予定表に含まれているか否かをダウンロードした予定表を検索、判断することが考えられる。
【０１４１】
無線通信用基地局以外に、近くに高速無線通信が可能な無線基地局設備があった場合（例えばホットスポット）、携帯電話機１は発信者側にその情報を提供してもよい。通常、無線通信回線よりも、ホットスポット等の高速無線通信の方がデータ量が多く、質のよい画像を受信することが可能であり、有用である。
【０１４２】
発信者によるＴＶ放送録画設定において、発信者が番組のチャンネル番号や放送開始時間等を正確に記憶していない場合に対応するため、携帯電話機１にキーワードによる番組検索機能を実装することも有用である。
【０１４３】
例えば、ＴＶ放送の録画設定において、番組名や番組ジャンル、出演者等のキーワードを、発信者が携帯電話機１に対して音声またはプッシュ音信号によって提供し、携帯電話機１がキーワードに基づいて番組情報を検索する態様である。
【０１４４】
番組情報を検索するためには、携帯電話機１は予めＴＶ放送の番組情報を有していることが望ましい。ＴＶ放送の番組情報はＴＶ番組表でよく、ＴＶ放送局３２から伝送されているＴＶ番組表をＴＶ電波受信アンテナ１０８、ＴＶ電波受信処理部１０７を介してＲＯＭ１０４に蓄積してもよい。また、無線通信用基地局３３、ネットワーク３４を介して、図示せぬインターネットの特定のサーバからダウンロードしてもよい。無線アンテナ１１３、発着呼処理部１１２を介して受信したＴＶ番組表はＲＯＭ１０４に蓄積される。さらには、携帯電話機１にＴＶ電話表を蓄積せず、キーワード検索をする度に、無線通信用基地局３３、ネットワーク３４を介して、図示せぬインターネットの特定のサーバにアクセスし、サーバ内のＴＶ番組表を検索するようにしてもよい。
【０１４５】
ＴＶ番組表は現在時刻に基づいたものがよいので、設定登録時には最新であることが必要である。携帯電話機１は定期的にＴＶ番組表をダウンロードしてもよいし、キーワードに基づく番組情報の検索命令を受けたときにダウンロードしてもよい。
【０１４６】
携帯電話機１は、音声解析またはプッシュ音解析により、発信者から受信したキーワードを特定する。次に、予めメモリ（ＲＯＭ１０４）に蓄積された検索プログラムをＣＰＵ１０２にて動作させることにより、ダウンロードしたＴＶ番組表を検索して、放送開始時間、終了時間、チャンネルなどを特定し、キーワード検索の結果を発信者側に提供する。発信者は、提供されたＴＶ番組情報に基づいて録画設定を完了しても、再検索してもよい。
【０１４７】
キーワード検索による対話的録画設定法を採用すると、発信者がチャンネル番号等を勘違いし、誤ったＴＶ番組の録画設定を行ってしまうという事態を回避できる。
【０１４８】
携帯電話機１に搭載しているメモリ（ＲＯＭ１０４）の容量が使用者から指定されたＴＶ放送を録画するには不十分である場合、その情報を発信者に提供してもよい。発信者により指定されたＴＶ放送の放送時間、録画品質等の情報に基づいて予想される必要なメモリ容量を計算し、メモリの空き容量と比べるプログラムを携帯電話機１に実装することにより可能である。
【０１４９】
メモリが不足している旨の通知を受けた使用者に対し、上書きしてもよいメモリの領域を指定する操作を提供してもよい。
【０１５０】
ＴＶ放送録画中における携帯電話機１の動作についても様々なバリエーションが可能である。例えば、ＣＰＵ１０２の処理能力の制限により、通話に必要な音声コーデック処理と録画処理を並列処理できない場合には、携帯電話機１に着信がかかった時に、着信処理を行わず、即時に留守番電話機能を起動する方法である。これにより着信処理に必要なＣＰＵ１０２の処理量を省略できる。
【０１５１】
また逆に着信時に、着信処理を優先させＴＶ放送の録画処理を中止又は中断してもよい。これらＴＶ放送録画中における動作は携帯電話機１の使用者が予め設定することにしてもよい。
【０１５２】
さらに、ＣＰＵを２つ搭載して、処理を並列分散し、トータルの処理能力を向上させる態様も可能である。
【０１５３】
もっとも、ＣＰＵ１０２の処理能力上問題がない場合には、ＴＶ放送の録画処理を行いながら、通常の着信に係る一連の処理を行ってもよい。
【０１５４】
ＴＶ映像録画処理部１０９において、ＴＶ放送データの信号圧縮処理を行う態様も可能である。信号圧縮を行うと、より少ないメモリ（ＲＯＭ１０４）でＴＶ放送データを蓄積することができ、有用である。
【実施例２】
【０１５５】
図８は、第二の実施例に係るＴＶ放送受信機能つき携帯電話機１の遠隔操作に係るシステムの全体図である。
【０１５６】
携帯電話機１は、無線によりＴＶ放送局３２と無線通信用基地局３３とに接続しており、無線通信用基地局３３はネットワーク３４を介して端末３５と接続されている。さらにネットワーク３４にはサーバ３６が接続されている。このシステムにおいて端末３５はネットワークを介して携帯電話機１またはサーバ３６に情報を伝達することができる。
【０１５７】
携帯電話機１は本発明に係るＴＶ放送受信機能つき携帯電話機であり、外部から受信する録画設定信号に基づいてＴＶ放送の録画設定を行うことができる。
【０１５８】
ＴＶ放送局３２はデジタルまたはアナログのＴＶ放送電波を送信する無線基地局である。無線通信用基地局３３は、携帯電話機１と音声またはデータの通信を行うための無線信号を送受信する無線基地局である。
【０１５９】
ネットワーク３４は電話のための公衆回線網であり、ＶoＩＰ技術によって電話網を実現している場合（ＩＰ電話網）はＩＰネットワークである。また音声以外のデータ通信も行うことができる。
【０１６０】
端末３５はＰＣや携帯電話、ＰＤＡ（パーソナル・デジタル・アシスタンス）等のＷＥＢブラウザを搭載した情報端末である。端末３５のＷＥＢブラウザを用いてサーバ３６に接続することができる。
【０１６１】
サーバ３６は携帯電話機１と端末３５のデータ通信を仲介するＷＥＢサーバである。端末３５からの入力データに基づいて、携帯電話機１に対して情報を送信し、また携帯電話機１から受信情報に基づいてＷＥＢページに当該情報を表示することができる機能を有している。
【０１６２】
携帯電話機１の構成は実施例１と同じであるので冗長を避けるために、省略する。
【０１６３】
本実施例における動作について、サーバ３６の動作の流れ図である図１３、および携帯電話機１の動作の流れ図である図１４に沿って説明する。また実際の操作イメージである図９乃至図１２も参酌して説明する。
【０１６４】
遠隔地にいるＴＶ放送受信機能つき携帯電話機１の使用者は、端末３５を用いてサーバ３６に接続する。接続はネットワーク３４を介して行われる。サーバ３６は端末３５からの要求にしたがって、ＴＶ番組録画設定画面を表示するためのＨＴＭＬ形式のファイルを端末３５に対して提供する（Ｓ４０１）。
【０１６５】
次に、使用者は端末３５に表示されたＴＶ番組録画設定画面を利用して、録画の設定を行う（Ｓ４０２）。このステップは使用者によって行われる。図９はＴＶ番組録画設定画面９０１の例である。設定画面９０１はＷＥＢページである。
【０１６６】
携帯電話機１の使用者は携帯電話機１の電話番号９０２、当該使用者以外の者が勝手に携帯電話機１のＴＶ録画設定を行うことができないようにするために予め設定したパスワード９０３、希望するＴＶ番組の日付９０４、放送開始時間９０５、放送終了時間９０６、チャンネル番号９０７、希望する録画品質９０８を入力し、その内容に間違いがなければ設定９０９をクリックする。クリックはマウス、トラックボール等端末３５の入力装置を用いて行う。これによりサーバ３６に対してＴＶ番組録画設定が指示される。
【０１６７】
使用者は、録画したいＴＶ番組の日付、開始時間、終了時間、チャンネル番号等がわからない場合はキーワード検索９１０を利用することができる。ＴＶ番組録画設定画面９０１のキーワード検索欄９１０に、出演者、番組タイトル、ジャンル等の番組関連情報を入力することができる。キーワードをキーワード検索欄９１０に入力した後検索ボタン９１１をクリックすることにより、サーバ３６においてＴＶ番組の検索をかける。
【０１６８】
サーバ３６は、予めネットワーク３４を介して、ＴＶ番組情報をサーバ３６内に蓄積しておいてもよいし、キーワード検索ボタン９１１のクリック動作に基づいてネットワーク３４を介して、図示しない他のサーバからＴＶ番組情報を検索してもよい。
【０１６９】
キーワード検索が終了するとＷＥＢページ９０１上に検索結果が表示され、選択ボックス９１２、９１３、９１４が表示される。例では選択ボックスが３つであるが、３つ以上でも以下でも構わない。
【０１７０】
使用者は、選択ボックスから所望の番組に対応する選択ボックスをチェックし、決定ボタン９１５をクリックすることによって、日付欄９０４、開始時間欄９０５、終了時間欄９０６、チャンネル欄９０７を手動で入力する手間を省くことができる。即ち、図１１に示すように、キーワード検索の結果から選択したＴＶ番組の放送開始日付などの情報が所定欄６０３、６０４、６０５、６０６、６０７に反映される。使用者は、ＴＶ放送録画時における録画品質を選択欄６０８から選択し、設定ボタン６０９をクリックすることによりＴＶ放送録画設定の情報の入力が完了する。
【０１７１】
当該ＴＶ放送録画設定の情報の入力完了後、サーバ３６はその情報を暗号化する等特定のフォーマットに加工して電子メール形式にしたのち、携帯電話機１に送信する（Ｓ４０３）。
【０１７２】
送信後、サーバ３６は当該サーバ内にある時間を測定するためのタイマをスタートさせる（Ｓ４０４）。タイマはサーバ３６内にハード的に備えていてもいいし、ソフト的に備えていてもよい。タイマには予め設定された時間がセットされる。この時間が経過するまで、携帯電話機１から応答があるか否かをチェックする（Ｓ４０５、Ｓ４０６）。携帯電話機１からの応答には、携帯電話機１が当該ＴＶ放送録画設定信号を受け取ったという情報や、携帯電話機１の電波状態の情報が含まれる。これら情報はメールにて送られることが望ましい。
【０１７３】
一定時間以内に、携帯電話機１から応答がなかった場合、サーバ３６は端末３５に対してエラーメッセージを表示する（Ｓ４０８）。
【０１７４】
また一定時間内に、携帯電話機１から応答があった場合、サーバ３６は端末３５に対して携帯電話機１からの応答に基づいた結果をＷＥＢページに表示する（Ｓ４０７）。
【０１７５】
結果表示の一例を図１２に示す。ＷＥＢページ７０１には、設定した時の電話番号等の情報７０２、７０３、７０４、７０５、７０６、７０７、７０８と共に、携帯電話機１１からの応答メッセージ７１０が表示される。この例では、「ＴＶ電波受信感度の理由により所定の品質で録画することができません。」と表示されている。
【０１７６】
品質が保証されない状態でのＴＶ番組録画設定を変更しない場合、使用者はＮＯの選択ボタン７１２を選択し、ＴＶ番組録画設定の内容を変更する場合はＹＥＳの選択ボタン７１１を選択する。ＮＯを選択した場合は、ＴＶ番組録画設定は変更されず、携帯電話機１はＴＶ番組録画設定に基づいて録画を行う。ＹＥＳを選択した場合は、使用者はＴＶ番組録画設定を再び行うことができる（Ｓ４０９）。
【０１７７】
次に、携帯電話機１の動作について図１４に沿って説明する。サーバ３６から送信された電子メールはネットワーク３４、無線通信基地局３３を介して携帯電話機１に伝達される。
【０１７８】
携帯電話機１はＴＶ番組録画設定情報を含んだ電子メールをサーバ３６から受信する（Ｓ５０１）。携帯電話機１は通話以外にも、電子メール機能を有しており、無線アンテナ１１３を介して電子メールを受信することができる。
【０１７９】
受信した電子メールの内容を解析しＴＶ番組録画設定情報を抽出する（Ｓ５０２）。具体的には、予めＲＯＭ１０４に蓄積されたプログラムを、ＣＰＵ１０２を用いて動作させることにより、発着呼処理部１１２にてデータ変換された電子メールのデータから抽出する。
【０１８０】
抽出した録画設定情報に基づいてＴＶ番組の録画設定を行う（Ｓ５０３）。抽出したＴＶ番組の日付、録画開始時刻等をＲＯＭ１０４に所定のフォーマットで蓄積する。開始時刻になると携帯電話機１に実装されたプログラムによって、録画設定通りにＴＶ番組の録画を開始する。
【０１８１】
携帯電話機１は録画設定で指定されたＴＶ番組のチャンネルに対応したＴＶ電波の受信状態を測定し、録画品質を予想する（Ｓ５０４）。ＴＶ番組録画設定情報の中には、チャンネル番号も含まれる。当該チャンネルに対応した信号のレベル、劣化度合いを、無線アンテナ１１３を介して測定する。この測定結果から、設定されたＴＶ番組の録画を行った場合の録画映像の品質を予想し、その品質と、設定された録画品質との差を計算する。計算の結果をサーバ側に返信するために一時的にＲＯＭ１０４またはＲＡＭ１０５若しくはＣＰＵ１０２内部のレジスタに記憶しておく。
【０１８２】
携帯電話機１は図示しない電圧計または電流計を用いて電池残量を計算する（Ｓ５０５）。ＴＶ放送の録画を行うために必要な電力は、予めＲＯＭ１０４に記憶しておいた回路駆動に必要な消費電力と、ＴＶ放送録画設定情報から抽出した録画時間とから計算する。計算により得た消費電力量と、電池が供給できる消費電力量とを比較してその結果をＲＯＭ１０４またはＲＡＭ１０５若しくはＣＰＵ１０２内部のレジスタに記憶しておく。
【０１８３】
ＴＶ電波の受信状態と、電池残量とから、ＴＶ番組録画設定情報の通りに録画をすることが困難か否かを判断する（Ｓ５０６）。この判断は予め決められた基準値（ＴＶ放送信号の受信誤り率や誤り訂正率、電池電圧に基づく可能消費電力量と録画に必要な消費電力量との比較など）に基づいて判定される。
【０１８４】
ＴＶ番組録画設定情報の通りに録画をすることが困難であると判断した場合は、指定されたＴＶ番組録画設定情報に基づいて録画設定が終了したことおよび、ＴＶ番組録画設定情報の通りに録画することが困難である旨と理由をサーバ３６に対して電子メール形式で返信する（Ｓ５０７）。この情報は発着呼処理部１１２を介して無線アンテナ１１３にて無線基地局３３へ送信される。
【０１８５】
ＴＶ番組録画設定情報の通りに録画をすることが困難でないと判断した場合は、指定されたＴＶ番組録画設定情報に基づいて録画設定が終了したことをサーバ３６に対して電子メール形式で返信する（Ｓ５０８）。この情報は発着呼処理部１１２を介して無線アンテナ１１３にて無線基地局３３へ送信される。
【０１８６】
その後、携帯電話機１は待ち受け状態に遷移する。以上でＴＶ放送録画設定は完了する。
【０１８７】
本実施例において、キーワード検索でＴＶ番組情報を検索する態様について説明したが本発明はこの実施例に制限されず、別の態様も可能である。例えば、図１０に示すようにＴＶ番組表８１０をＷＥＢページ８０１に表示させてもよい。
【０１８８】
ＴＶ番組表８１０は、使用者がＷＥＢページ８０１を閲覧した日付、時刻を基準としたＴＶ番組が表示される。ＴＶ番組表は３時間単位のＴＶ放送の予定表であり、表を全部表示できない場合はスクロールバー８１２、８１５を表示し、ＴＶ番組表の一部のみを表示する。使用者はスクロールバーをスクロールさせることによって、ＴＶ番組表のうち表示されていない部分を表示させることができる。表示されているＴＶ番組表の中に所望の番組がない場合は「前の日」ボタン８０６、「次の日」ボタン８０７、「前の３時間」ボタン８０８、「次の３時間」ボタン８０９をクリックすることにより所望の番組を探すことができる。選択領域８１３は、録画設定するＴＶ番組を選択するための領域である。ユーザは端末３５のマウス、トラックボールなどの入力装置を用いて選択する。
【０１８９】
例えばカーソルを「８：００  みちのく将棋道」の右の８：００から９：００までに対応した選択領域において、マウス等をドラッグすることにより、矢印８１４が表示される。ここで、決定ボタン８１６をクリックすることにより、ＴＶ番組を選択することができる。
【０１９０】
ＴＶ番組表の対応地域を選択できる様にしてもよい。例えば、東京都、大阪府など各地方を選択できるボタンをＷＥＢページ８０１上に設けて使用者に選択させる態様である。この場合、選択された各地方のＴＶ番組表が表示される。
【０１９１】
携帯電話機１の現在位置を自動的に検索することによりＴＶ番組表の対応地域を指定する態様も可能である。一般に携帯電話のシステムは端末の呼び出しのために、端末の現在位置を管理するデータベースが存在する。
【０１９２】
サーバ３６が当該データベースを検索する権限を有する場合、当該データベースを検索することによって、携帯電話機１の現在位置を特定し、対応地域のＴＶ番組表を表示させることは可能である。
【０１９３】
上記方法により特定した携帯電話機１の現在位置の精度は、単一の無線通信用基地局の電波伝搬範囲程度である。よって、当該電波伝搬範囲内において、複数のＴＶ番組表が適用できる場合があり、サーバ３６にて使用したＴＶ番組表が携帯電話機１の現在位置のＴＶ番組表に適合していない状況がありうる。
【０１９４】
この状況を回避するため、携帯電話機１は予め現在位置に適合したＴＶ番組表をダウンロードしておき、サーバ３６から指示されたＴＶ番組情報とダウンロードしたＴＶ番組表の情報が整合するか判断する。整合しない場合はその旨をサーバ３６に対して通知することが考えられる。その場合、指示されたＴＶ番組情報をダウンロードしたＴＶ番組表の対応する番組の情報に修正してもよい。
【０１９５】
尚、ＴＶ番組表は無線アンテナ１１３またはＴＶ電波受信アンテナ１０８を介して、定期的に又はＴＶ放送録画設定されるたびにダウンロードすればよい。無線アンテナ１１３を介する場合、インターネットまたは携帯電話会社のシステムが提供するサービスを利用してダウンロードすることが考えられる。ＴＶ放送と共にＴＶ番組表が放送されている場合はＴＶ電波受信アンテナ１０８を介して、ＴＶ番組表をダウンロードすることが可能である。
【０１９６】
携帯電話機１の現在位置のＴＶ番組表をダウンロードするには、携帯電話機１が属する基地局位置に基づいた携帯電話機１の位置情報、携帯電話機１がＧＰＳ機能を有する場合には当該ＧＰＳによって得た位置情報を利用する。又は携帯電話機１のＴＶ電波受信感度に基づいてＴＶ電波を受信するにあたり最適なＴＶ番組表を検索、選択しダウンロードする。ダウンロードしたＴＶ番組表はＲＯＭ１０４などのメモリに蓄積する。
【０１９７】
ＷＥＢページ４０１などで入力したパスワードが予め設定したものと異なっている場合、携帯電話機１には録画設定信号は送信されず、パスワード欄が空欄に変化してもよい。この場合ＷＥＢページにパスワードが異なっている旨の警告文を表示させてもよい。
【０１９８】
録画品質は画面サイズ、フレームレートなどによって構成されるものである。図９乃至図１２においては「高」「中」「低」の三段階で表示してあるが、本実施例にとらわれることなく、画面サイズ、フレームレートなど個別の設定項目を表示してもよい。
【０１９９】
端末３５はＰＣ、携帯電話機、ＰＤＡ等ネットワークに接続できる電子機器を適用することが可能である。
【０２００】
本実施例ではサーバ３６を経由してＴＶ放送録画設定を行う態様を示したが、携帯電話機１がサーバとなり、端末３５がネットワーク３４を介して携帯電話機１に直接接続し、予約設定を行う態様も可能である。例えば携帯電話機１がＩＰアドレスを有しており、本実施例で示したサーバ３６と同じ働きをする態様である。使用者は端末３５を介して携帯電話機１に対して直接対話的にＴＶ番組の予約設定を行うことができる。
【０２０１】
端末３５から電子メール形式でＴＶ番組録画設定情報を直接携帯電話機１に直接送付してもよい。携帯電話機１は本実施例のように受信電波状態や電池残量などに基づいた警告と設定が完了した旨の情報を電子メール形式で端末３５に送付すると使用者が確認できて便利である。
【０２０２】
本実施例ではサーバ３６は電子メール形式でＴＶ番組録画設定情報を携帯電話機１に送信したが、本発明はこの実施態様に限らない。すなわち、電子メール形式以外のデータ通信によっても本発明は実現可能である。例えば、サーバ３６が携帯電話システムの提供者が運営する場合、携帯電話システムに必須のパイロット信号や、携帯電話呼出信号にＴＶ番組録画設定情報を包含させて送信する態様である。
【０２０３】
本実施例において、携帯電話機１が無線通信用基地局３３の電波を受信できない場合、または電源が入っていない場合等の理由でサーバ３６と接続できない場合、録画設定を試みる使用者に対してサーバ３６が携帯電話機１と通信できない旨の警告情報をＷＥＢページに表示してもよい。
【０２０４】
本発明において、実施例１で説明した様々なバリエーションは実施例２にも適応しうるし、実施例２で説明した様々なバリエーションは実施例１にも適応しうる。
【図面の簡単な説明】
【０２０５】
【図１】第一の実施例のシステムの全体を表した図である。
【図２】ＴＶ放送受信機能つき携帯電話機１の回路構成である。
【図３】携帯電話機１の各処理の状態を表した状態遷移図である。
【図４】ＴＶ放送録画設定の手順を表したものである。
【図５】ＴＶ放送録画設定の手順を表したものである。
【図６】ＴＶ放送録画設定の手順を表したものである。
【図７】ＴＶ放送録画設定の手順を表したものである。
【図８】第二の実施例のシステムの全体を表した図である。
【図９】第二の実施例のサーバ３６から提供されるＷＥＢページである。
【図１０】第二の実施例のサーバ３６から提供されるＷＥＢページである。
【図１１】第二の実施例のサーバ３６から提供されるＷＥＢページである。
【図１２】第二の実施例のサーバ３６から提供されるＷＥＢページである。
【図１３】第二の実施例のＴＶ放送録画設定のサーバ側の手順を表したものである。
【図１４】第二の実施例のＴＶ放送録画設定の携帯電話機側の手順を表したものである。
【符号の説明】
【０２０６】
１  携帯電話機
２  ＴＶ放送局
３  無線通信用基地局
４  ネットワーク
５  電話機
１０２  ＣＰＵ
１０３  バス
１０４  ＲＯＭ
１０５  ＲＡＭ
１０６  タイマ部
１０７  ＴＶ電波受信処理部
１０８  ＴＶ電波受信アンテナ
１０９  ＴＶ映像録画処理部
１１０  表示制御部
１１１  表示部
１１２  発着呼処理部
１１３  無線アンテナ
１１４  サウンド処理部
１１５  マイク＆スピーカー
２０  待ち受け状態
２１  自動応答留守録処理
２２  ＴＶ放送録画遠隔操作設定処理
２３  着信処理
２４  通話処理
２５  発呼処理
３２  ＴＶ放送局
３３  無線通信用基地局
３４  ネットワーク
３５  端末
３６  サーバ
４０１  ＴＶ番組録画設定画面
５０１  ＴＶ番組録画設定画面
５１０  ＴＶ番組表
６０１  ＴＶ番組録画設定画面
７０１  ＴＶ番組録画設定画面
７１０  メッセージ
【図１】
2005175670.tif 000003
【図２】
2005175670.tif 000004
【図３】
2005175670.tif 000005
【図４】
2005175670.tif 000006
【図５】
2005175670.tif 000007
【図６】
2005175670.tif 000008
【図７】
2005175670.tif 000009
【図８】
2005175670.tif 000010
【図９】
2005175670.tif 000011
【図１０】
2005175670.tif 000012
【図１１】
2005175670.tif 000013
【図１２】
2005175670.tif 000014
【図１３】
2005175670.tif 000015
【図１４】
2005175670.tif 000016